(57)【要約】【課題】  簡単な構成で容易に安価で、周面に孔が形成されたパイプ材の内部に補強樹脂材を確実に設けたインパネリインホースメントおよびその製造方法を提供する。【解決手段】  本発明のインパネリインホースメントの製造方法は、周面に孔１ａが形成されたパイプ材１の内部に袋体２を配設し、この袋体２内に補強樹脂材料３を充填することにより、パイプ材１の内部に補強樹脂材３’を設ける。パイプ材１と補強樹脂材料３との間に袋体２が介在しているため、補強樹脂材料３がパイプ材１の孔１ａから漏れ出ることなくパイプ材１内で膨張して、大径部１０内に設けられることとなる。そのため、補強樹脂材料３の使用量に無駄が生じない。【選択図】    図２
2006175931.tif 000002
【特許請求の範囲】
【請求項１】
周面に孔が形成されたパイプ材の内部に補強樹脂材を設けてなるインパネリインホースメントであって、
前記周面に孔が形成されたパイプ材の内部に、前記補強樹脂材を袋体に入れた状態で設けたことを特徴とするインパネリインホースメント。
【請求項２】
周面に孔が形成されたパイプ材の内部に補強樹脂材を設けてなるインパネリインホースメントの製造方法であって、
前記周面に孔が形成されたパイプ材の内部に袋体を配設し、
該袋体内に補強樹脂材料を充填することを特徴とするインパネリインホースメントの製造方法。
【発明の詳細な説明】
【技術分野】
【０００１】
本発明は、インパネリインホースメントおよびその製造方法に関し、さらに詳しくは、自動車のインストルメンタルパネル（インパネと称する）を補強するなどのためのインパネリインホースメントおよびその製造方法に関するものである。
【背景技術】
【０００２】
自動車の室内に配設されるインパネ（ダッシュボードともいう）には、その補強部材として、インパネリインホースメントが一般に設けられている。インパネリインホースメントは、一般に図２に参照されるように、運転席側が大径で助手席側が小径のパイプ材が用いられている。そして、インパネリインホースメントの周面には、インパネやステアリングコラムなどを取付けるための孔が形成されている。
【０００３】
ところで、インパネリインホースメントとして使用するパイプ材の剛性を向上させることなどを目的として、例えば特許文献１に参照されるように、その内部に補強樹脂材料を設けたものが知られている。
特許文献１には、補強すべきパイプに挿入する芯材と、この芯材から突出させ、前記パイプの内径よりやや大径とした突出部材とからなり、前記芯材及び前記突出部材の一方を発泡樹脂材料で形成し、パイプ内に圧入した芯材又は突出部材を発泡させ膨張させることで、パイプ内面と、芯材外面又は突出部材外面とを密着させたことを特徴とするパイプの補強構造などが開示されている。
【０００４】
【特許文献１】特開２００１−２０６２４１号公報
【発明の開示】
【発明が解決しようとする課題】
【０００５】
上記特許文献１に開示された従来の技術にあっては、パイプ材に取付けなどのための孔が形成されたものではなく、自動車のセンタピラーのような閉断面構造物の補強構造を対象としたものであるため、樹脂をパイプ材の内部で発泡させ膨張させることもできる。しかしながら、インパネリインホースメントのように孔が形成されたパイプ材では、補強樹脂材をパイプ材の内部で発泡させ膨張させようとすると、パイプ材の孔から補強樹脂材が漏れ出すため、特許文献１に開示されているようにパイプ材の内部で補強樹脂材を発泡させ膨張させることができないという問題があった。また、この問題を解決するためには、従来では一般に孔にテープを貼るなどして孔を塞ぐ処理をおこなっているが、かかる処理工程を必要とするためにコストがかかるという問題があった。さらに、従来の技術にあっては、パイプ材の補強樹脂材を設ける必要のない部分も含めて内部全体に補強樹脂材を設けていたため、補強樹脂材に無駄が生じるという問題もあった。
【０００６】
本発明は、上述した問題に鑑みてなされたもので、簡単な構成で容易に安価で、周面に孔が形成されたパイプ材の内部に補強樹脂材を確実に設けたインパネリインホースメントおよびその製造方法を提供することを目的とする。
【課題を解決するための手段】
【０００７】
請求項１のインパネリインホースメントに係る発明は、上記目的を達成するため、周面に孔が形成されたパイプ材の内部に補強樹脂材を設けてなるインパネリインホースメントであって、前記周面に孔が形成されたパイプ材の内部に、前記補強樹脂材を袋体に入れた状態で設けたことを特徴とするものである。
また請求項２のインパネリインホースメントの製造方法に係る発明は、上記目的を達成するため、周面に孔が形成されたパイプ材の内部に補強樹脂材を設けてなるインパネリインホースメントの製造方法であって、前記周面に孔が形成されたパイプ材の内部に袋体を配設し、該袋体内に補強樹脂材料を充填することを特徴とするものである。
【０００８】
請求項１の発明では、周面に孔が形成されたパイプ材の内部に、補強樹脂材を袋体に入れた状態で設けることによって、補強樹脂材がパイプ材の孔から漏れ出すことなくパイプ材の内部に確実に設けられた構造のインパネリインホースメントが提供される。
請求項２の発明では、周面に孔が形成されたパイプ材の内部に袋体を配設して、この袋体内に補強樹脂材料を充填することにより、補強樹脂材をパイプ材の孔から漏れ出すことなくパイプ材の内部に確実に充填して設けることが可能なインパネリインホースメントの製造方法が提供される。
【発明の効果】
【０００９】
請求項１の発明によれば、周面に孔が形成されたパイプ材の内部に、補強樹脂材を袋体に入れた状態で設けたという簡単な構成で、補強樹脂材がパイプ材の孔から漏れ出すことなくパイプ材の内部に容易に且つ確実に設けられた構造のインパネリインホースメントを安価で提供することができる。
請求項２の発明によれば、周面に孔が形成されたパイプ材の内部に袋体を配設して、この袋体内に補強樹脂材料を充填するという簡単な構成で、安価で補強樹脂材をパイプ材の孔から漏れ出すことなくパイプ材の内部に容易に且つ確実に充填して設けることが可能なインパネリインホースメントの製造方法を提供することができる。
【発明を実施するための最良の形態】
【００１０】
本発明のインパネリインホースメントの製造方法の実施の一形態を図１および図２に基づいて詳細に説明する。なお、同様の部分または相当する部分については同一符号を付してその説明を省略する。
本発明のインパネリインホースメントの製造方法は、概略、周面に孔１ａが形成されたパイプ材１の内部に袋体２を配設し、この袋体２内に補強樹脂材料３を充填することにより、パイプ材１の内部に補強樹脂材３’を設けるものである。
【００１１】
インパネリインホースメントを構成するパイプ材１は、運転席側に位置することとなる部分に大径部１０が形成され、助手席側に位置することとなる部分に小径部１１が成形されている。このような形状のパイプ材１は、大径パイプ材と小径パイプ材とを互いに接合したり、大径部１０となる幅広部と小径部１１となる幅狭部とを有する平板を所謂ＵＯ曲げ加工することなどによって成形することができる。このパイプ材１には、後にインストルメンタルパネルを取付けたり、ステアリングコラムを支持するための孔１ａが穿設されている。また、パイプ材１には自動車のボデーに取付けるためのブラケット１ｂがそのほぼ中央に設けられており、大径部１０と小径部１１の端面にはそれぞれフランジ１０ａ、１１ａが設けられている。
【００１２】
ここで、パイプ材１の特に大径部１０は、ステアリングから受ける振動を吸収したり剛性を高めるなどの目的のために、内部に補強樹脂材３’がパイプ材１の内周面に密着するように設けられる。補強樹脂材３’は、パイプ材１が曲げ変形するときの断面形状変化を妨げ、その結果としてパイプ材１の剛性が向上したり、ステアリングから受ける振動を減衰させて吸収させることができる。一方、パイプ材１の小径部１１は、助手席側に位置することとなることからステアリングコラムが取り付けられることはないので、その振動を受けることはなく、したがって、大径部１０のように内部に補強樹脂材３’を設ける必要性はあまりない。
【００１３】
パイプ材１の内部に補強樹脂材３’を設けるに先だって、図１に示すように、大径部１０が上方に開口するように起たせた状態とし、この実施の形態においては、発泡性の補強樹脂材料３を充填して発泡させたときに漏れないような樹脂製の袋体２を用意し、この袋体２を大径部１０の端部開口から挿入する。そして、袋体２の端部開口２ａを押さえリング４などによって押さえてパイプ材１の大径部１０のフランジ１０ａとの間で挟持する。このとき、袋体２の底端部２ｂは、大径部１０と小径部１１の境界部など、所定の位置に達するよう保持される。次いで、樹脂注入機５から樹脂注入管６、樹脂注入ヘッド７を介して袋体２の中に発泡性の補強樹脂材料３を充填して常温で発泡させる。すると、パイプ材１と補強樹脂材料３との間に袋体２が介在しているため、補強樹脂材料３がパイプ材１の孔１ａから漏れ出ることなくパイプ材１内で膨張して、比較的必要性の少ない小径部１１に設けられることなく、大径部１０内に設けられることとなる。そのため、補強樹脂材料３の使用量に無駄が生じない。なお、図１、２および後述する図３においては、パイプ材１の内周面と袋体２との間、およびパイプ材１の大径部１０のフランジ１０ａと押さえリング４（図１）または蓋体８（図３）との間を引き離した状態で示したが、実際には密着した状態であることに注意されたい。
【００１４】
補強樹脂材３’は、パイプ材１の補強や剛性を向上させる目的によって、軟質や、半硬質、硬質、あるいは材料の種類としてポリウレタンなどのフォーム、あるいは、非発泡性の樹脂材料を選択し採用することができる。また、補強樹脂材料３は、この実施の形態のように常温で発泡するものに限定されることなく、加熱することによって発泡するものであってもよい。かかる場合においては、袋体２としてホットメルト系樹脂を採用することにより、パイプ材１の内周面と補強樹脂材３’とを固着させることができる。さらに、補強樹脂材料３として常温で発泡させることができる樹脂材料を採用する場合であっても、発泡後の硬化を促進するために、内部に袋体２を介して補強樹脂材３’が設けられたパイプ材１を、例えば６０〜１２０度Ｃ程度の温度で加熱してもよい。
【００１５】
また、補強樹脂材３’の硬化が完了したら、袋体２の端部開口２ａをそのままにしておいてもよいが、図２に示すように、溶着または接着などによって端部開口２ａを閉じて袋体２を密封することもできる。袋体２を密封することにより、補強樹脂材３’が各種ガスを吸着、発散するのを防止あるいは低減させることができる。
【００１６】
このようにして製造されたインパネリインホースメントは、補強樹脂材３’を袋体２に入れた状態とした簡単な構成で、周面に孔１ａが形成されたパイプ材１の内部に補強樹脂材３’を確実に設けることができる構造となっている。そして、袋体２としてホットメルト系樹脂を採用した場合には、パイプ材１の内周面と補強樹脂材３’とが確実に固着した構造とすることができる。さらに、図２に示すように袋体２を密封した場合には、補強樹脂材３’が各種ガスを吸着、発散するのを防止あるいは低減させることができる構造のインパネリインホースメントが提供される。このように構成されたインパネリインホースメントは、パイプ材１の周面に形成された孔１ａにインストルメンタルパネルの係合部材やステアリングコラムの支持ボルトが、袋体２を介して設けられた補強樹脂材３’を変形させるかまたは孔開けすることにより挿通することができる。
【００１７】
次に、本発明のインパネリインホースメントの製造方法の、別の実施の形態を図３に基づいて詳細に説明する。なお、上述した第１の実施の形態と同様の部分または相当する部分については同一符号を付してその説明を省略する。
この実施の形態では、樹脂注入ヘッド７を有する蓋体８を用意し、この蓋体８により袋体２の開口部２ａを塞いだ状態とし、この密閉された状態の袋体２内に注入ヘッド７から補強樹脂材料３を注入する。また、必要に応じて、パイプ材１の小径部１１の端面からマンドレル９を挿入して、袋体２の底端部２ｂを支持してその位置を規制する。これにより、袋体２は、パイプ材１の内周面と蓋体８とマンドレル９の先端とにより形成される空間内で補強樹脂材料３が注入されて安定した状態で発泡成形される。したがって、この実施の形態によれば、補強樹脂材３の形状が安定したインパネリインホースメントが提供される。
【００１８】
次に、本発明のインパネリインホースメントの製造方法の、別の実施の形態を図４および図５に基づいて詳細に説明する。なお、上述した第１および第２の実施の形態と同様の部分または相当する部分については同一符号を付してその説明を省略する。
この実施の形態におけるインパネリインホースメントの製造方法は、自動車に組込まれる電子部品２０を補強樹脂材３’によりパイプ材１内に封止する。
【００１９】
図４に示した実施の形態では、電子部品を収納したケース（以下、ＥＣＵケース２０という）が袋体２内に配置された状態で、袋体２内に補強樹脂材料３が注入される。袋体２内へのＥＣＵケース２０の配置は、袋体２の内側に接着剤によってＥＣＵケース２０を接着したり、接着剤層を有するテープによって固定するなど、任意の手法によることができる。この実施の形態によれば、袋体２内にＥＣＵケース２０が配置されるため、補強樹脂材３’と袋体２とによってＥＣＵケース２０を確実に封止することができるインパネリインホースメントが提供される。
【００２０】
図５に示した実施の形態では、ＥＣＵケース２０が袋体２とパイプ材１の内周面との間に配置された状態で、袋体２内に補強樹脂材料３が注入される。ＥＣＵケース２０の配置は、袋体２の外側またはパイプ材１の内周面に接着剤によってＥＣＵケース２０を接着したり、接着剤層を有するテープによって固定するなど、任意の手法によることができる。この実施の形態によれば、ＥＣＵケース２０が袋体２とパイプ材１の内周面との間に配置されるため、電子部品への配線の接続を容易に行うことができるインパネリインホースメントが提供される。
【００２１】
次に、本発明のインパネリインホースメントの製造方法の、さらに別の実施の形態を図６に基づいて詳細に説明する。なお、上述した第１〜３の実施の形態と同様の部分または相当する部分については同一符号を付してその説明を省略する。
この実施の形態におけるインパネリインホースメントの製造方法は、袋体２として、補強樹脂材料３が発泡時に透過しうる素材を用いている。
【００２２】
袋体２の、補強樹脂材料３が発泡するときに透過しうる素材としては、たとえば所定のメッシュの織物などにより構成することができる。このように織物などにより構成された袋体２を大径部１０の端部開口から挿入してその開口部２ａを保持し、内部に発泡性の補強樹脂材料３を充填して発泡させる。この補強樹脂材料３は、発泡するときに織物などからなる袋体２の内部から外部に滲み出てパイプ材１の内周面に接着することとなる。また、パイプ材１に穿設された孔１ａと対応する部分では、補強樹脂材３がかかる孔１ａに進出するよう突き出た状態で硬化することとなる。このように構成されたインパネリインホースメントは、補強樹脂材３はパイプ材１の内部で確実に固定されるため、上述した実施の形態と比較して、インパネリインホースメントの剛性が向上し、振動減衰特性を変化させることができる。
【図面の簡単な説明】
【００２３】
【図１】本発明のインパネリインホースメントの製造方法の実施の一形態を説明するために示した断面図である。
【図２】本発明により製造されたインパネリインホースメントの実施の一形態を示した断面図である。
【図３】本発明のインパネリインホースメントの製造方法の第２の実施の形態を説明するために示した断面図である。
【図４】本発明のインパネリインホースメントの第３の実施の形態を説明するために示した部分拡大断面図である。
【図５】図４の変形例を示す部分拡大断面図である。
【図６】本発明のインパネリインホースメントの第４の実施の形態を説明するために示した部分拡大断面図である。
【符号の説明】
【００２４】
１：パイプ材、  １ａ：孔、  ２：袋体、  ３：補強樹脂材料、  ３’：補強樹脂材
【図１】
2006175931.tif 000003
【図２】
2006175931.tif 000004
【図３】
2006175931.tif 000005
【図４】
2006175931.tif 000006
【図５】
2006175931.tif 000007
【図６】
2006175931.tif 000008